(57)【特許請求の範囲】
【請求項１】
両端に導液チューブの接続部を有する管本体の中間部の一面に、上面部にガイド溝を有する筒状体の下面部を、該管本体の軸方向に対して直交状又は斜交又は平行に一体に重ね、該筒状体内に周方向に可動可能に摺接保持された可動体を設け、該可動体にはその軸方向に直交するように注射器の先管が結合できる受口が前記ガイド溝から露出するように設けられ、前記受口から可動体の下面部に連通する穴と、前記管本体内に連通する筒状体の下面部に設けた穴とを対設したことを特徴とする側注装置。
【請求項２】
前記可動体が、前記筒状体内に、該筒状体の上面部に設けた１つの中立点を起点に四方に連続するガイド溝に沿って回動又はスライドするものであることを特徴とする請求項１に記載の側注装置。
【発明の詳細な説明】
【０００１】
【発明の属する技術分野】
本発明は、腎不全等の治療に用いられる体外血液回路や輸血又は輸液セットの途中に設置され、患者に対して適時、必要な薬液の注入ができるようにした側注装置に関するものである。
【０００２】
【従来の技術】
一般に、腎不全患者の治療に用いられる体外血液回路や輸血又は輸液セットの途中には側注装置が設備されている。この従来型の側注装置は、図５の如く、両端に導液チューブ５１の接続部５２を有する管本体５３の中間部上面に立管５４を設け、該立管５４の上端に、注射針Ｓ″が突き刺せるゴム栓５５を一部露出して抱持したキャップ５６を形成していた。
【０００３】
上記従来型側注装置は、キャップ５６より露出したゴム栓５５に、注射器Ｓの先管Ｓ′に針基を介して結合した注射針Ｓ″を突き刺し、プランジャを矢印の如く押操作して薬液を注入することができるようになっていた。前記ゴム栓５５は薬液注入後に注射針Ｓ″を抜き取ったときに、その針穴が素材の弾性により即座に閉塞され、従って、薬液の側注作業により体外血液回路や輸血又は輸液セットと患者とを結ぶ本来的な治療作業に一切の障害をも与えることがないようになっていた。
【０００４】
【発明が解決しようとする課題】
しかしながら、上述の如く、薬液注入後にゴム栓５５より抜き取った注射針には、直ちに保護キャップ（図示せず）が施され、該保護キャップと一緒に注射針を注射器から取り外して分別廃棄されるが、注射針に保護キャップを施すときに注射針の針先を手指に突き刺してしまう事故を起こす可能性があり、該注射針の針先に感染性保菌者の血液が付着していた場合には感染という事態になるおそれがあった。
【０００５】
本発明は、上記問題を解消するためのもので、その目的とするところは、注射針を用いずに薬液の側注ができ、医療従事者や患者への注射針の誤穿刺事故及び院内感染事故を皆無にした側注装置を提供することにある。
【０００６】
【課題を解決するための手段】
上記の目的を達成するため、本発明は、両端に導液チューブの接続部を有する管本体の中間部の一面に、上面部にガイド溝を有する筒状体の下面部を、該管本体の軸方向に対して直交状又は斜交又は平行に一体に重ね、該筒状体内に周方向に可動可能に摺接保持された可動体を設け、該可動体にはその軸方向に直交するように注射器の先管が結合できる受口が前記ガイド溝から露出するように設けられ、前記受口から可動体の下面部に連通する穴と、前記管本体内に連通する筒状体の下面部に設けた穴とを対設したことを特徴とし、可動体の可動位置によって前記２つの穴を導通又は非導通にできるように構成した。
【０００７】
また、請求項２に記載の発明は、前記可動体が、前記筒状体内に、該筒状体の上面部に設けた１つの中立点を起点に四方に連続するガイド溝に沿って回動又はスライドするものであることを特徴とし、可動部の回動操作、スライド操作、又は中立点を中心とする四方への操作により簡単に前記２つの穴の導通、非導通を制御できるように構成した。
【０００９】
【発明の実施の態様】
次に、本発明の実施の態様を、図１〜図４に基づいて説明する。図１は本願側注装置の斜視図、図２は本願側注装置の分解斜視図、図３は本願側注装置の作用を示す断面図、図４は可動部の可動方向及び範囲を規制するガイド溝を示す平面図である。
【００１０】
図１において、１０は本願側注装置を示す。本願側注装置１０は両端に導液チューブ２の接続部３を有する管本体１と、該管本体１の中間部の一面に一体に重ねた筒状体４を備えたものである。該筒状体４は図面上では管本体１に対して直交状になっているが、管本体１に対して斜交でも、平行でも良い。前記導液チューブ２は、図示していないが、体外血液回路と患者、輸血又は輸液セットのバイアル瓶と患者とを結んでいる。
【００１１】
前記筒状体４内には管本体１の一面に摺接するように可動体５が可動可能に保持されている。該可動体５には注射器Ｓの先管Ｓ′が結合できる受口６が設けられている。該受口６は前記筒状体４の上面部４ａに設けたガイド溝７を通して露出し、該ガイド溝７によって可動方向及び可動範囲が規制されている。
【００１２】
前記筒状体４は、本例では、図２の如く、水平方向に二つ割りに形成され、その下面部４ｂが管本体１の上面に、管本体１の一部を構成するように固着され、上面部４ａが、前記可動体５を収容させた後に下面部４ｂと合体できるようになっている。前記受口６は前記筒状体４の上面部４ａに設けたガイド溝７を通して可動体５にあとから結合することもある。
【００１３】
前記可動体５の下面（管本体との摺接面）には前記受口６に連通する穴８が設けられる一方、前記筒状体４の下面部４ｂ（可動体との摺接面）にも前記管本体１内に連通する穴９が設けられている。これら対設した２つの穴８と９は、前記可動体５を前記ガイド溝７に沿って可動させたときの１つの位置で互いに重なり合い（導通）、互いにズレ（非導通）るようなっている。
【００１４】
前記可動体５の下面には、図２の如く、前記穴８を有する弾性材（例えば、軟質プラスチック材又はゴム材）Ｄを嵌入し、前記２つの穴８と９の導通時又は非導通時により高い液密が図れるように構成することもある。なお、可動体５との摺接面を構成する前記筒状体４の下面部４ｂを、前記穴９を有する弾性材で構成させてもよい。
【００１５】
前記２つの穴８と９は、本実施例では、図３（ａ）の如く、可動体５の受口６の外面が前記ガイド溝７の溝端７ａに当てて立てた状態で導通し、図３（ａ）の如く、可動体５の受口６の外面が前記ガイド溝７の他の溝端７ｂに当たるように傾斜させたときに非導通状態になるようになっている。勿論、受口６の傾斜時に前記２つの穴８と９が導通し、立てた状態で非導通状態になるように構成してもよい。
【００１６】
前記可動体５の可動方向及び範囲は、前記受口６を露出させた前記筒状体４の上面部４ａに設けたガイド溝７により規制される。例えば、図４（ａ）の如く、前記ガイド溝７が、前記筒状体４の上面部４ａの円周方向の２点Ａ、Ｂ間を回動するように形成されているときは、前記２つの穴８と９は１つの回動点Ａで導通し、他の回動点Ｂで非導通になるようにするが、この逆に設定してもよい。
【００１７】
また、図４（ｂ）の如く、前記ガイド溝７が、前記筒状体４の上面部４ａのスライド方向の２点Ａ、Ｂ間をスライドするように形成されているときは、前記２つの穴８と９は１つのスライド点Ａで導通し、他のスライド点Ｂで非導通になるようにしても、この逆に設定してもよい。
【００１８】
さらに、図４（ｃ）の如く、前記ガイド溝７が、１つの中立点Ａを起点にして四方向（三方向もあってもよい）の各点Ｂに向けて可動するように形成されているときは、前記２つの穴８と９は中立点Ａで導通し、他の可動点Ｂで非導通になるようにしても、この逆に設定してもよい。
【００１９】
次に、作用を説明する。まず、体外血液回路（図示せず）の導液チューブ２の途中に本願側注装置１０を設置する。この場合、当然ながら可動体５の受口６は図３（ｂ）の如く、傾斜させておき、前記受口６に連通する穴８と、前記管本体１内に連通する穴９とを非導通（閉）状態にしている。この状態において透析治療等が行われる。
【００２０】
かかる状況下で前記患者に必要な薬液の注入治療が必要になった場合、該薬液を収容した注射器Ｓの先管Ｓ′を、気泡を抜いて前記可動体５の受口６に結合する。次いで、注射器Ｓとともに受口６をガイド溝７に沿って移動させると、可動体５は、図３（ａ）の如く、立った状態となり、前記２つの穴８と９とを導通させるようになる。
【００２１】
次いで、注射器Ｓのプランジャを押操作することにより薬液が導液チューブ内を通過している血液（輸液）中に注入させることができる。この注入作業が終了したら、前記可動体５の受口６から直ぐに注射器Ｓの先管Ｓ′を抜かず、結合させたままの状態で、該注射器Ｓとともに受口６をガイド溝７に沿って移動し、図３（ｂ）の如く、前記２つの穴８と９とを非導通状態にする。しかる後、注射器Ｓを受口６から抜き取る。これにより体外血液回路（輸血又は輸液セット）と患者とを結んだ本来的な治療作業に何らの影響も与えることなく、一連の薬液の側注作業が完結する。
【００２２】
本願側注装置１０は、薬液の注入について説明したが、本願側注装置１０を体外血液回路に適用したときは、採血（注射器に吸入）用として利用することもあることは勿論である。
【００２３】
また、上記実施態様では説明していないが、可動体５の受口６は、該受口に連通する穴と前記管本体内に連通する穴とは常に非導通状態にバネ付勢しておいて導通状態から非導通状態へは自動復帰するように構成することもある。
【００２４】
【発明の効果】
以上説明したように、本発明は、両端に導液チューブの接続部を有する管本体の中間部の一面に、上面部にガイド溝を有する筒状体の下面部を、該管本体の軸方向に対して直交状又は斜交又は平行に一体に重ね、該筒状体内に周方向に可動可能に摺接保持された可動体を設け、該可動体にはその軸方向に直交するように注射器の先管が結合できる受口が前記ガイド溝から露出するように設けられ、前記受口から可動体の下面部に連通する穴と、前記管本体内に連通する筒状体の下面部に設けた穴とを対設したことを特徴としているから、可動部の受口に、注射器の先管を結合させ、その結合状態で前記可動部を周方向に動かして可動部と管本体との摺接面にそれそれ設けた穴同士を導通させ、注射器から薬液を注入し、注入後、可動部を動かして前記穴同士を非導通にし、前記受口から注射器の先管を取り外すことにより体外血液回路（輸血又は輸液セット）と患者とを結んだ本来的な治療作業に何らの影響も与えることなく、薬液注入作業を手早く完了させることができるという優れた効果を奏する。
【００２５】
また、請求項２に記載の発明は、前記可動体が、前記筒状体内に、該筒状体の上面部に設けた１つの中立点を起点に四方に連続するガイド溝に沿って回動又はスライドするものであることを特徴としているから、前記受口に連通する穴と前記管本体内に連通する穴の２つは可動部の回動操作、スライド操作、又は中立点を中心とする四方への操作により簡単に導通、非導通が制御できるという優れた効果を奏する。
【図面の簡単な説明】
【図１】本願側注装置の斜視図である。
【図２】本願側注装置の分解斜視図である。
【図３】本願側注装置の作用を示す断面図で、（ａ）は可動部の受口と管本体内との導通時、（ｂ）は可動部の受口と管本体内との非導通時である。
【図４】可動部の可動方向を規制するガイド部材の溝を示す平面図で、（ａ）は回動ガイド溝、（ｂ）はスライドガイド溝、（ｃ）は回動及びスライドの双方を持つガイド溝である。
【図５】従来の側注装置と注射針を示す斜視図である。
【符号の説明】
１０  本願側注装置
１  管本体
２  導液チューブ
３  接続部
４  筒状体
４ａ  上面部
４ｂ  下面部
５  可動体
６  受口
７  ガイド溝
７ａ、７ｂ  ガイド溝の溝端
８  受口に連通する穴
９  管本体内に連通する穴
Ｄ  弾性材
Ｓ  注射器
Ｓ′注射器の先管
Ｓ″注射針
５１  導液チューブ
５２  接続部
５３  管本体
５４  立管
５５  ゴム栓
５６  キャップ
【図１】
0004283460.tif 000002
【図２】
0004283460.tif 000003
【図３】
0004283460.tif 000004
【図４】
0004283460.tif 000005
【図５】
0004283460.tif 000006